(57)【要約】【課題】ディスクトレイの位置検出を精度よく行ない、かつ機器の小型化を実現する。【解決手段】印刷配線基板６０の両面の、面と垂直な方向に重なる位置に第１及び第２の検出スイッチ１２，１３を配置し、一方の検出スイッチ１２の作動子１４の先端を他方の検出スイッチ１３の作動子１５方向に延設して連携部材１６を形成し、連携部材１６で他方の検出スイッチ１３の作動子１５をも駆動するように構成する。突起部材１１で連携部材１６を駆動することで、検出スイッチ１２，１３の作動子１４，１５を同時に駆動できるようになり、検出スイッチ１２，１３の動作タイミングを一致させることができるようになり、検出精度が向上する。さらに、第１及び第２の検出スイッチを印刷配線基板の両面に配置するので、スペースを有効活用できる。【選択図】　　　図１
2004118957.tif 000002
【特許請求の範囲】
【請求項１】
ディスクメディアを搭載して、筐体内の所定位置と、筐体から引き出される位置との間で移動するディスクトレイの位置を検出する検出装置において、
筐体内部に設けられた印刷基板の両面に面と垂直方向に重なるように配置され、前記ディスクトレイに設けられた駆動部材によって操作されてオンあるいはオフとなる作動子を有する第１と第２の検出スイッチと、
前記作動子の一方に設けられ、前記駆動部材によって駆動されることで当該一方の検出スイッチの作動子と前記他方の検出スイッチの作動子を同時に駆動するように他方のスイッチの作動子方向に延在された連携部材と、
を具備したことを特徴とするディスクトレイ検出装置。
【請求項２】
前記第１及び第２の検出スイッチは、直列接続され、両方のスイッチが同時にオンあるいはオフになったことで、前記ディスクトレイの位置を検出する論理手段を備えたことを特徴とする請求項１に記載のディスクトレイ検出装置。
【請求項３】
前記第１及び第２の検出スイッチは、並列接続され、両方のスイッチの少なくとも一方がオンあるいはオフになったことで、前記ディスクトレイの位置を検出する論理手段を備えたことを特徴とする請求項１に記載のディスクトレイ検出装置。
【発明の詳細な説明】
【０００１】
【発明の属する技術分野】
本発明は、ＣＤ（Ｃｏｍｐａｃｔ　Ｄｉｓｋ）プレーヤ、ＤＶＤ（Ｄｉｇｉｔａｌ　Ｖｅｒｓａｔｉｌｅ　Ｄｉｓｋ）レコーダ等のメディアディスク機器に適用されるディスクトレイの位置検出装置に関し、特に検出精度を向上させた検出装置に関する。
【０００２】
【従来の技術】
昨今の、メディアディスク機器においては、ＣＤプレーヤ等、再生専用の機器から、記録も行なえる機能を持った機器も実用に供されるようになってきており、使用されるレーザーも大きなパワーの物が適用されている。このため、不適切な使い方をすると人体に影響を及ぼす虞があることから、機器の動作状態を厳しく管理する必要がある。
【０００３】
このような、メディアディスク機器は、例えば、図５に示すように、筐体５１に、対してディスクトレイ５２が、筐体５１内の位置と、筐体５１から引き出された位置との間で移送されるように構成されている。
すなわち、筐体５１の側面の内壁には、案内部材５３が設けられ、ディスクトレイ５２は、筐体５１の内壁と対向する側面に、案内部材５３に嵌装される突状部５４が形成されており、この突状部５４が案内部材５３に摺動自在に支持されることにより、ディスクトレイ５２が筐体５１内の位置と、筐体５１から引き出された位置の間で移動する。
【０００４】
ディスクトレイ５２は、前面に前面パネル５５が形成され、ディスクトレイ５２が筐体内に収容されている状態において、前面パネル５５は、筐体５１の入り口を塞ぐように構成されている。
ディスクトレイ５２の移動は、ユーザの手によって駆動されるか、あるいは図示しないモータによって駆動される。前面パネル５５には、駆動釦５６が設けられており、少なくともディスクトレイ５２を筐体５１内から引き出す際のトリガとして機能するように構成されている。
【０００５】
ディスクトレイ５２がユーザの手によって駆動されるように構成されている場合には、ディスクトレイ５２が筐体５１内に収容されている状態では、ディスクトレイ５２は、筐体５１に対して機械的にロックされており、ユーザが駆動釦５６を操作することによって、ロックが解除され、図示しないスプリングによって、ディスクトレイ５２が所定量筐体５１から突出される。また、ユーザがディスクトレイ５２を筐体５１内に押し込むことによって、ディスクトレイ５２は、筐体５１に対して機械的にロックする。
【０００６】
ディスクトレイ５２の移送がモータによって駆動される場合には、ユーザが駆動釦５６を押すことでモータが駆動され、ディスクトレイ５２が、筐体５１から引き出される。また、ディスクトレイ５２をユーザが手で所定量押したり、駆動釦５６を押すことによって、モータが駆動され筐体５１内に収容される。
【０００７】
また、ディスクトレイ５２には、メディアディスクが収容されるディスク収容部５７と、レーザーを照射するダイオードを備えたＰＵＨ（Ｐｉｃｋ　Ｕｐ　Ｈｅａｄ）５８が移動する溝部５９が設けられている。ＰＵＨ５８は、ディスク収容部５７の裏面側に設けられた図示しない移送機構によって収容されたディスクの径方向に移送される。
【０００８】
以上のように構成された、メディアディスク機器５０においては、レーザー光線が人体に少なからず悪影響を与えるために、ディスクトレイ５２が筐体５１内に完全に収容された状態でないと、レーザーダイオードを動作させないようにする必要があり、ディスクトレイ５２の位置を検出する装置が備えられている。
【０００９】
すなわち、図５において、筐体５１内に設けられた印刷基板６０に検出スイッチ６１が設けられ、対応するディスクトレイ５２の裏面に突起部材６２が設けられている。検出スイッチ６１は作動子６３を備え、ディスクトレイ５２の筐体５１への収容が完了した状態において、突起部材６２によって、この作動子６３が駆動されるように構成されている。
【００１０】
以上のようなメディアディスク機器は例えば特開２００２−５０１６２号に記載されている。
上記文献に示されたディスクトレイ検出装置は、１個の検出スイッチで構成されているため、スイッチが正しい動作をしなくなった場合には、当然ながら、ディスクトレイの位置を検出することができなくなる。検出スイッチが故障して、仮に、ディスクトレイが筐体から引き出された状態で、ディスクトレイが装着されたものと判断されると、レーザー光が外部に漏れて人体に悪影響を与えることになる。
【００１１】
以上のように従来のディスクトレイ検出装置では、１個の検出スイッチでディスクトレイの検出を行なうようにしているため、確実な動作を実行させるという点で充分であるとは言い難かった。
【特許文献１】
特開２００２−５０１６２号（第３頁、第６図）
【００１２】
【発明が解決しようとする課題】
以上のように、従来のディスクトレイ検出装置では、安定な検出を実行するという点で問題があった。
本発明は、以上の点に対処してなされたものであり、検出スイッチを２個使用することで、検出の安定性を確保し、しかも検出スイッチを印刷配線基板の面と垂直方向に重なるように配置することで、印刷配線基板のスペースも有効活用できるようにしたディスクトレイ検出装置を提供することを目的とする。
【００１３】
【課題を解決するための手段】
本発明のディスクトレイ検出装置は、ディスクメディアを搭載して、筐体内の所定位置と、筐体から引き出される位置との間で移動するディスクトレイの位置を検出する検出装置において、筐体内部に設けられた印刷基板の両面に面と垂直方向に重なるように配置され、前記ディスクトレイに設けられた駆動部材によって操作されてオンあるいはオフとなる作動子を有する第１と第２の検出スイッチと、前記作動子の一方に設けられ、前記駆動部材によって駆動されることで当該一方の検出スイッチの作動子と前記他方の検出スイッチの作動子を同時に駆動するように他方のスイッチの作動子方向に延在された連携部材と、を具備したことを特徴とする。
【００１４】
本発明によれば、２個のスイッチで検出するようにしたので、安定な検出が実行でき、しかも各スイッチが印刷配線基板の面と垂直方向に位置が重なるように両面に配設されているため、印刷配線基板のスペースを有効活用できるものである。
【００１５】
【発明の実施の形態】
以下、図面を参照しながら本発明の実施の形態を詳細に説明する。
図１は、本発明のディスクトレイ検出装置の一実施の形態を示す斜視図である。図１において、図５と同一構成部分に同一番号を付して詳細な説明は省略する。
図１において、ディスクトレイ５２には、突起部材１１が設けられ、印刷配線基板６０には、その一方の面に第１の検出スイッチ１２が設けられ、その反対の面に第１の検出スイッチ１２と面と垂直な方向に重なる位置に第２の検出スイッチ１３が設けられている。
【００１６】
第１の検出スイッチ１２及び第２の検出スイッチは１３は、それぞれ作動子１４，１５を備え、第１の検出スイッチ１２の作動子１４は、その先端が第２の検出スイッチ１３の作動子１５方向に折曲されて形成された連携部材１６を有し、連携部材１６は突起部材１１で駆動されるように、突起部材１１に対向する面が突起部材１１の端面と平行に形成され、反対側の面が第２の検出スイッチ１３の作動子１５に接するように形成されている。
【００１７】
各検出スイッチ１２，１３とその作動子１４，１５と連携部材１６の関係を図２、図３を参照してさらに説明する。
すなわち、第１の検出スイッチ１２の作動子１４の先端に、突起部材１１と当接する面１６ａを有した連携部材１６が一体的に形成されており、連携部材１６の面１６ａの反対側の面１６ｂは、第２の検出スイッチ１３の作動子１５に略当接されるように形成されている。
【００１８】
図３は、ディスクトレイ５２が、筐体５１内部に収容されることで、突起部材１１によって、第１及び第２の検出スイッチ１２，１３の作動子１４，１５が駆動される状態を示しており、突起部材１１によって連携部材１６が押され、それによって、連携部材１６と一体的に形成された第１の検出スイッチ１２の作動子１４も同様に押され、さらに連携部材１６によって第２の検出スイッチ１３の作動子１５も駆動されるようになる。
【００１９】
また、図３の状態から、図２の状態に戻る際には、逆に、突起部材１１による押圧が徐々に解除されていき、突起部材１１が連携部材１６から離れることで、第１及び第２の検出スイッチ１２，１３が復帰する。
このように、連携部材１６によって、第１及び第２の検出スイッチ１２，１３は、略同じタイミングでオンオフするようになるものである。
したがって、第１及び第２の検出スイッチ１２，１３の動作タイミングにずれが生ずることはなく、誤動作することもない。
さらに、第１及び第２の検出スイッチ１２，１３を印刷配線基板６０の両面の面と垂直方向に重なる位置に配置したので、印刷配線基板６０の面積を有効活用できるようになるものである。
図４は、第１及び第２の検出スイッチ１２，１３を組み込んだ電気回路を示すものであり、図４（ａ）は第１及び第２の検出スイッチ１２，１３が直列に接続されて、マイコン４１の入力端子に接続されている。
第１及び第２の検出スイッチ１２，１３が同時にオン、オフすることで、ディスクトレイ５２の位置を検出することができる。
図４（ｂ）は、第１及び第２の検出スイッチ１２，１３がそれぞれ、マイコン４１の端子に接続されており、この場合にはマイコン４１の内部で、種々のロジックを組むことが可能であり、オア的な論理回路を構成することもできる。
以上のように本発明によれば、第１及び第２の検出スイッチ１２，１３の一方の作動子１４を他方の作動子１５方向に延設した連携部１６を形成して、この連携部１６を介して各検出スイッチ１２，１３の作動子１４，１５を駆動するように構成したので、各検出スイッチ１２，１３の動作タイミングを一致させることが可能となり、誤動作を防止することができるものである。
【００２０】
さらに、印刷配線基板６０の両面に面と垂直方向に重なるように第１及び第２の検出スイッチ１２，１３を配置するようにしたので、印刷配線基板６０を有効活用できるようになるものである。
【００２１】
【発明の効果】
以上のように、本発明によれば、第１及び第２の検出スイッチを、同じタイミングでオンオフできるようになるものであり、ディスクトレイの位置検出を精度よく行なうことができるようになるものである。
さらにまた、第１及び第２の検出スイッチを印刷配線基板の両面の略同一位置に配置するようにしたので、印刷配線基板の面積を有効活用できるようになるものである。
【図面の簡単な説明】
【図１】本発明に係る、ディスクトレイ検出装置の一実施の形態を示す斜視図。
【図２】図１に示す装置の要部の動作を説明するための図。
【図３】図１に示す装置の要部の動作を説明するための図。
【図４】図１に示す装置の要部の動作を説明するための図。
【図５】ディスクメディア機器の構成を説明するため斜視図。
【符号の説明】
１１…突起部材
１２…第１の検出スイッチ
１３…第２の検出スイッチ
１４，１５…作動子
１６…連携部材
５１…筐体
５２…ディスクトレイ
【図１】
2004118957.tif 000003
【図２】
2004118957.tif 000004
【図３】
2004118957.tif 000005
【図４】
2004118957.tif 000006
【図５】
2004118957.tif 000007